(57)【要約】  【課題】  土木、建築などの工事現場で構築される枠組足場を安全に組み立てたり、解体できるようにすることにある。  【解決手段】  建築用等の枠組足場の建枠の脚柱８に手摺の支柱部を昇降可能に配設すると共に、手摺には手摺を建枠の所定の位置に係止可能なように一対のストッパー部材１１からなるストッパー９を設ける。そして、手摺を建枠２の所定位置に係止するときには、ストッパー部材１１下端の係止部１３を建枠の横材１４に引っ掛けて係止するように形成する一方、手摺を昇降するときには、ストッパー部材１１下端の係止部１３を開放しつつ上端の把持部１８にて建枠の脚柱８を把持するように形成する。【選択図】  図４
2005076390.tif 000002
【特許請求の範囲】
【請求項１】
建築用等の枠組足場の建枠の脚柱に手摺の支柱部を昇降可能に配設すると共に、前記手摺には手摺を建枠の所定の位置に係止可能なように一対のストッパー部材からなるストッパーを設け、手摺を建枠の所定の位置に係止するときには前記各ストッパー部材の一端に備えた係止部を枠組足場の建枠に突設した横材に引っ掛けて係止するように形成する一方、手摺を昇降するときには各ストッパー部材の一端に備えた係止部を開放しつつ他端に備えた把持部にて建枠の脚柱を把持させ、常にストッパー部材の一部が建枠の脚柱を把持するように形成したことを特徴とする建築用等の枠組足場の手摺。
【発明の詳細な説明】
【技術分野】
【０００１】
本発明は、土木、建築などの工事分野において、建築物の外壁などにそって設置する建築用等の枠組足場の手摺に関するものである。
【背景技術】
【０００２】
土木、建築の建設工事現場において、枠組足場の建枠を上下方向、左右方向に所要数連結して枠組足場を構築して施工しているが、その組み立てや解体では作業員はその最上段の足場の上に乗ってその作業を行っている。
【０００３】
しかし、最上段の足場には、その周囲に安全のための柱や手摺が無いことがあり、作業に恐怖感を憶えたり、転落などの危険性があった。
【０００４】
そこで、出願人は、上記のような枠組足場の安全手摺について特許調査を行った結果、特開平７−２７９４０４号公報、特開２００２−２０６３３６号公報が検索できた。
【特許文献１】特開平７−２７９４０４号公報
【特許文献２】特開２００２−２０６３３６号公報
【発明の開示】
【発明が解決しようとする課題】
【０００５】
これらについて検討したところ、これらの先行技術資料はいずれも、足場用建枠の両側の縦材に手摺を取着して、作業の安全をはかることが提案されている。しかしながら、建枠を順次組み立てたり、分解するのに応じて手摺を枠組足場の側部に沿って昇降させる際、手摺と枠組足場とを固定するストッパーや係止フックを一時的に開放させるが、この間は手摺と枠組足場との支持力が低下するため手摺はぐらぐらして安全性に乏しく、場合によっては脱落の危険性すらある。
【０００６】
本発明は上記の点に鑑み、手摺を枠組足場の側部に沿って昇降させる際であっても、手摺と枠組足場との支持力が極端に低下するようなことが無く、安全に枠組足場を組み立て、解体できる建築用等の枠組足場の手摺を提供することを課題とする。
【課題を解決するための手段】
【０００７】
本発明は、上記の課題を解決するために、建築用等の枠組足場の建枠の脚柱に手摺の支柱部を昇降可能に配設すると共に、前記手摺には手摺を建枠の所定の位置に係止可能なように一対のストッパー部材からなるストッパーを設け、手摺を建枠の所定の位置に係止するときには前記各ストッパー部材の一端に備えた係止部を枠組足場の建枠に突設した横材に引っ掛けて係止するように形成する一方、手摺を昇降するときには各ストッパー部材の一端に備えた係止部を開放しつつ他端に備えた把持部にて建枠の脚柱を把持させ、常にストッパー部材の一部が建枠の脚柱を把持するように形成したことを特徴とする建築用等の枠組足場の手摺を提供するにある。
【発明の効果】
【０００８】
本発明に係る建築用等の枠組足場の手摺によれば、建築用等の枠組足場の建枠の脚柱に手摺の支柱部を昇降可能に配設すると共に、前記手摺には手摺を建枠の所定の位置に係止可能なように一対のストッパー部材からなるストッパーを設け、手摺を建枠の所定の位置に係止するときには前記各ストッパー部材の一端に備えた係止部を枠組足場の建枠に突設した横材に引っ掛けて係止するように形成する一方、手摺を昇降するときには各ストッパー部材の一端に備えた係止部を開放しつつ他端に備えた把持部にて建枠の脚柱を把持させ、常にストッパー部材の一部が建枠の脚柱を把持するように形成したので、手摺を枠組足場の側部に沿って昇降させる際にストッパーを開放動作させても、手摺と枠組足場との支持力の低下を抑えることができ、手摺のぐらつきを防止して安全に枠組足場の組み立て、解体作業を行うことができる。
【発明を実施するための最良の形態】
【０００９】
土木や建築用等の枠組足場１は、図１（ａ）、（ｂ）のように従来の枠組足場用の建枠２を上下方向、左右方向に連結し、所要の高さ、幅に組み立てて構築できるもので、その建枠２に手摺３を昇降摺動可能として枠組足場１を安全に組み立て、解体作業を行えるようにしている。
【００１０】
手摺３は、図１、図２のようにその支柱部４を細長い箱枠状に形成し、この支柱部４の両側の平行の垂直材５に所定の間隔で水平材６を架設し、図３のように水平材６にガイドローラの挟着摺動材７を所定の角度のほぼハの字状に傾けて軸着し、その間に建枠２の脚柱８に挟着して所定距離にわたって昇降摺動可能としているものである。
【００１１】
そして、このような支柱部４の中程部に、図１、図２のようにストッパー９を配設しているもので、ストッパー９は図４（ａ）、（ｂ）のように支柱部４の両側の垂直材５に水平材１０を配設し、この水平材１０に所要の間隔、建枠２の脚柱８よりも広い間隔で左右対称状にストッパー部材１１をやや後方側に突き出してコイルスプリング等のばね１２に抗して開閉可能に配設し、手摺３を上方側に移動するときは、ストッパー部材１１下端に備えた係止部１３の上端が建枠２の横材１４の端部に当接すると各ストッパー部材１１は自由に開いて通過し、手摺３を下方に移動するときは、ストッパー部材１１下端に備えた係止部１３の下端が建枠２の横材１４の端部に当接すると横材１４の側面にそって引っ掛けて係止して組み付けておけるようにしている。
【００１２】
上記ストッパー部材１１には、図４（ａ）、（ｂ）のように左右のストッパー部材１１の下方側に建枠２に当たらないようにＶ字状にリンク材１５を接続してその接合部１６に押上材１７を取り付け、押上材１７をばね１２に抗して押し上げることによって、左右のストッパー部材１１の下端側を左右に押し拡げて各係止部１３を離反させ、横材１４を通過して手摺３を上方や下方に自由に移動できるようにして組み立て、解体を容易にできるようにしている。
【００１３】
ここで、図４（ｂ）に示すように、左右のストッパー部材１１の下端側を左右に押し拡げた際には、各ストッパー部材１１上端に備えた把持部１８同士が近接する。このように、手摺３を昇降させる際に左右のストッパー部材１１を開放状態としても、ストッパー部材１１上端の把持部１８によって建枠２の脚柱８を確実に把持するため、手摺３の昇降の際であっても手摺３と枠組足場１との支持力が極端に低下するようなことが無く、安全に枠組足場１を組み立て、解体できる。
【実施例】
【００１４】
図１以下は、本発明の一実施例を示すものである。所定の高さ、幅に組み立てる枠組足場１の建枠２の脚柱８に、手摺３の上記した細長い箱枠状の支柱部４に配設した上下の挟着摺動材７の左右のガイドローラをそれぞれ挟着して手摺３を配設するようにしたもので、この支柱部４の左右の垂直材５に横棧１９を上下二段にリンク材２０を介してそれぞれリンク接続して枢着して接続し、隣り合う支柱部４を強化するようにしている。なお、手摺は上記実施例のものに限定するものではなく、例えば、支柱部を中心とした枠体状のものでも良いのは勿論である。
【００１５】
そして、手摺３の支柱部４を建枠２間に架設した足場板２１に登載して図１、図２のように建枠２にそって上方に押し上げると、支柱部４は建枠２の脚柱８にそって上昇し、建枠２の横材１４にストッパー９の左右ストッパー部材１１下端の係止部１３が当接すると、ストッパー部材１１下端側が自動的に左右に押し拡げられて脚柱８が通過可能となる。
【００１６】
このとき、ストッパー部材１１の下端側が押し拡げられるのに反してストッパー部材１１上端側の把持部１８が近接し、常にストッパー部材１１の一部が建枠の２の脚柱８を確実に把持し、手摺３の支持力の低下を抑えて昇降作業中の手摺３の脱落などを防止できるようにしている。
【００１７】
そして、横材１４をストッパー９が通過した状態で停止すると、ストッパー部材１１下端側がばね１２で引き寄せられて自動的に閉じ、ストッパー部材１１下端に備えた係止部１３を横材１４に引っ掛けて係止させることができる。
【００１８】
また、支柱部４の側部の横棧１９は、リンク材２０が側方に突き出て斜めに伸び、隣りの支柱部４を上昇すると、突き出たリンク材２０は元の状態にへこみ、横棧１９が水平に支柱部４間に架設した状態となって安全に足場板２１を順次組み上げていくようにしている。
【００１９】
したがって、枠組足場１を組み立てるのに、たとえば図１、図２のように先ず最下段となる建枠２の脚柱８の間に足場板２１を架設し、その足場板２１に登載して手摺３の挟着摺動材７を上記建枠２の脚柱８に挿入して支柱部４を挟着するようにして装着していく。そして、この支柱部４の両側の垂直材５に予め一端を取り付けた横棧１９、リンク材２０を図１、図２のようにリンク接続し、横棧１９による安全柵を形成していく。
【００２０】
ついで、上記した建枠２の上に上位となる建枠２を図１、図２のように組み立て、上記したように手摺３の支柱部４を建枠２間に架設した足場板２１に登載して建枠２にそって上方に押し上げて手摺３の支柱部４をこの建枠２の上に順次建枠２、足場板２１を組み上げ、手摺３を建枠２の上段に移動していく。このようにして建枠２の上に順次建枠２、足場板２１を組み上げて、手摺３を順次組み立てる建枠２の上方へ移動していって、常に横棧１９を支柱部４間に接続した状態で組み立て作業を行うことができる。
【００２１】
一方、枠組足場１を解体するにあっては、ストッパー９の押上材１７を手で押し上げると、左右のストッパー部材１１の下端側が左右に押し拡げられ、各係止部１３は離反して横材１４が通過可能となる。
【００２２】
このときも、前記と同様に、ストッパー部材１１の下端側が押し拡げられるのに反してストッパー部材１１上端側の把持部１８が近接し、常にストッパー部材１１の一部が建枠の２の脚柱８を確実に把持し、手摺３の支持力の低下を抑えて昇降作業中の手摺３の脱落などを防止できるようにしている。
【００２３】
そして、支柱部４を図１、図２のように下げていき、ストッパー９が横材１４を通過した後に押上材１７の押し上げ操作を解除すると、ストッパー部材１１下端側がばね１２で引き寄せられて自動的に閉じ、ストッパー部材１１下端に備えた係止部１３を下段側の横材１４に引っ掛けて係止させることが可能となる。このようにして、上位の建枠２を順次解体していくことができるもので、この際にも、手摺３の横棧１９は常に支柱部４間に接続した状態を維持できるので、安全に作業を遂行することができる。
【００２４】
このようにして手摺３の支柱部４間に常に横棧１９を接続した状態で枠組足場１の組み立て、解体の作業ができ、かつ支柱部４を隣り合う横棧１９で補強できて支柱部４のぐらつきも防止できる。
【００２５】
また、支柱部４を細長い箱枠状として建枠２の脚柱８を抱き込むように挟着しているので、より一層手摺３がはずれるおそれを減らし、安全に維持することができる。
【図面の簡単な説明】
【００２６】
【図１】本発明の一実施例の一部省略した説明用側面図（ａ）および正面図（ｂ）。
【図２】図１の要部拡大図である。
【図３】同上の挟着摺動部の拡大平断面図。
【図４】同上のストッパー部の側断面図（ａ）および正面図（ｂ）。
【符号の説明】
【００２７】
１…足場                      ２…建枠
３…手摺                      ４…支柱部
５…垂直材                    ６…水平材
７…狭着摺動材                ８…脚柱
９…ストッパー                １１…ストッパー部材
１３…係止部                  １８…把持部
１９…横棧                    ２０…足場板
【図１】
2005076390.tif 000003
【図２】
2005076390.tif 000004
【図３】
2005076390.tif 000005
【図４】
2005076390.tif 000006